(57)【要約】【課題】被験者の単位時間当たりの脈拍数が小さい場合においても、適切に平均血圧を決定することができる血圧測定方法及び血圧測定装置を提供する。【解決手段】血圧測定装置１０は、被験者の動脈血酸素飽和度（ＳｐＯ２）等に基づいて、脈拍数を算出し、当該脈拍数に応じて、カフ圧を下げる速度を決定する。特に、血圧測定装置１０は、当該脈拍数が所定値より小さい場合に、カフ圧を下げる速度を小さくする。血圧測定装置１０は、定量排気の下で、決定された速度でカフ圧を下げ、生体の血管に発生する容積脈波を検出する。血圧測定装置１０は、この容積脈波から脈波振幅を算出する。血圧測定装置１０は、脈波振幅の最大点を検出し、平均血圧を求める。【選択図】  図５
2007020750.tif 000002
【特許請求の範囲】
【請求項１】
所定の速度でカフ圧を下げながら脈波を検出する血圧測定方法であって、
脈拍数を検出し、
前記検出された脈拍数に応じて、カフ圧を下げる速度を決定し、
前記決定された速度に基づいて、カフ圧を制御する
血圧測定方法。
【請求項２】
カフ圧を下げる速度は、前記検出された脈拍数が所定値より小さい場合に、小さくされる
請求項１に記載の血圧測定方法。
【請求項３】
所定の速度でカフ圧を下げながら脈波を検出する血圧測定装置であって、
脈拍数を検出する脈拍数検出手段と、
前記脈拍数検出手段により検出された脈拍数に応じて、カフ圧を下げる速度を決定する決定手段と、
前記決定手段により決定された速度に基づいて、カフ圧を制御するカフ圧制御手段と
を有する血圧測定装置。
【請求項４】
前記決定手段は、前記脈拍数検出手段により検出された脈拍数が所定値より小さい場合に、カフ圧を下げる速度を小さくする
請求項３に記載の血圧測定装置。
【発明の詳細な説明】
【技術分野】
【０００１】
本発明は、生体の血圧を測定する血圧測定方法及び血圧測定装置に関する。
【背景技術】
【０００２】
従来、血圧測定法として、オシロメトリック法が公知である。オシロメトリック法は、カフ圧を最高血圧以上に上昇させ、徐々に下げながら脈波振幅（容積変動）を検出して、最高血圧、平均血圧等を判定する方法である。
特許文献１においては、カフ圧を段階的に上げて、オシロメトリック法により得られる血圧値を判定する方法が開示されている。このため、特許文献１に開示された方法は、素早く正確な血圧を得ることができる。
【０００３】
【特許文献１】米国特許第４，４６１，２６６号明細書
【発明の開示】
【発明が解決しようとする課題】
【０００４】
しかしながら、被験者の単位時間当たりの脈拍数が小さい場合には、カフ圧を下げる過程において、十分な数の脈波振幅が検出されない場合がある。
上述した方法にあっては、十分な数の脈波振幅が検出されないと、平均血圧を特定することが困難になってしまう。
【０００５】
本発明は、上述した背景からなされたものであり、被験者の単位時間当たりの脈拍数が小さい場合においても、適切に平均血圧を決定する血圧測定方法及び血圧測定装置を提供することを目的とする。
【課題を解決するための手段】
【０００６】
上記目的を達成するため、本発明にかかる血圧測定方法は、所定の速度でカフ圧を下げながら脈波を検出する血圧測定方法であって、脈拍数を検出し、前記検出された脈拍数に応じて、カフ圧を下げる速度を決定し、前記決定された速度に基づいて、カフ圧を制御する。
【０００７】
好適には、カフ圧を下げる速度は、前記検出された脈拍数が所定値より小さい場合に、小さくされる。
【０００８】
本発明にかかる血圧測定装置は、所定の速度でカフ圧を下げながら脈波を検出する血圧測定装置であって、脈拍数を検出する脈拍数検出手段と、前記脈拍数検出手段により検出された脈拍数に応じて、カフ圧を下げる速度を決定する決定手段と、前記決定手段により決定された速度に基づいて、カフ圧を制御するカフ圧制御手段とを有する。
【０００９】
好適には、前記決定手段は、前記脈拍数検出手段により検出された脈拍数が所定値より小さい場合に、カフ圧を下げる速度を小さくする。
【発明の効果】
【００１０】
本発明によれば、被験者の単位時間当たりの脈拍数が小さい場合においても、適切に平均血圧を決定することができる。
【発明を実施するための最良の形態】
【００１１】
以下、本発明に係る実施形態を図面により説明する。
【００１２】
図１は、本発明の実施形態に係る血圧測定装置１０の概略を示す図である。
図１に示すように、血圧測定装置１０は、生体が椅子１２に腰掛けた状態で検査を行えるようになっている。椅子１２の肘掛け部には筒状体１４が設けられ、この筒状体１４は、生体の腕が挿入自在となっており、該筒状体１４内には、生体の上腕部内側が当たる脈波検出装置１６が配置されていると共に、血圧測定のためのカフ１８が配置されている。
【００１３】
カフ１８には、カフ圧制御装置２０が接続されている。このカフ圧制御装置２０は、周知のように、ポンプ、圧力調整弁等から構成されている。カフ１８は、カフ圧制御装置２０の制御により、生体の上腕部分に対して所定の圧力（カフ圧）を加える。カフ圧制御装置２０は、生体の上腕部分に加えられたカフ圧を検出して、血圧測定装置本体２２に対して出力する。
【００１４】
脈波検出装置１６は、カフ圧による検出装置ではなく、圧力センサが使用されている。脈波検出装置１６は、生体の上腕部分の動脈内に起こる圧変動（脈拍）を検出して、容積脈波として血圧測定装置本体２２に対して出力する。
【００１５】
動脈血酸素飽和度測定器２４は、例えばパルスオキシメータからなり、プローブを生体の指に装着し、動脈血酸素飽和度（ＳｐＯ２）を測定する。動脈血酸素飽和度測定器２４は、測定結果を血圧測定装置本体２２に対して出力する。
【００１６】
血圧測定装置本体２２は、例えばパーソナルコンピュータ等から構成され、データを入力するためのキーボード、データを処理するための演算装置、データを記憶するための記憶装置、データを表示するためのディスプレイ等の表示装置を有する。血圧測定装置本体２２は、脈波検出装置１６、カフ圧制御装置２０及び動脈血酸素飽和度測定器２４により測定された生体状態情報を入力し、また、カフ圧制御装置２０に対して制御信号を出力する。ここで、血圧測定装置本体２２は、検出された脈拍数に応じて、カフ圧を下げる速度を決定する決定手段を構成し、カフ圧制御装置２０は、決定された速度に基づいて、カフ圧を制御するカフ圧制御手段を構成する。
【００１７】
図２は、カフ圧と脈波振幅との関係を説明する図である。
図２に示すように、カフ圧は、血圧測定装置本体２２及びカフ圧制御装置２０の制御により、所定値から徐々に下げられる。カフ圧が下げられる過程において、脈波検出装置１６は、生体の血管に発生する容積脈波を検出する。脈波検出装置１６は、検出された容積脈波を血圧測定装置本体２２に対して出力し、血圧測定装置本体２２は、１拍ごとに容積脈波を記憶する。脈波の振幅（容積変動）は、次第に大きくなり、脈波振幅のピークを過ぎると、次第に小さくなる。血圧測定装置本体２２は、記憶された容積脈波から脈波振幅を算出し、この脈波振幅の最大点の圧力を平均血圧とする。また、血圧測定装置本体２２は、脈波振幅の最大値、パターン等に基づいて、最高血圧及び最低血圧を算出する。なお、所定の速度でカフ圧を下げながら脈波振幅を検出することを定量排気という。
【００１８】
図３は、カフ圧を下げる速度と検出される脈拍数の関係を説明する図であって、図３（Ａ）は、ある生体に対して所定の傾きＬでカフ圧を下げた場合を例示し、図３（Ｂ）は、より脈拍数が小さい生体に対して傾きＬでカフ圧を下げた場合を例示し、図３（Ｃ）は、より脈拍数が小さい生体に対して傾きＭでカフ圧を下げた場合を例示する。
図３（Ａ）に例示するように、脈波は、所定の速度（即ち、傾きＬ）でカフ圧を下げながら検出される。カフ圧は、脈が検出されてから、１秒間に例えば３ｍｍＨｇ下げられる。生体の１分間あたりの脈拍数を６０拍とし、最高血圧（ＳＹＳ）を１２０ｍｍＨｇ、最低血圧（ＤＩＡ）を８０ｍｍＨｇとすると、４０ｍｍＨｇの範囲は、４０ｍｍＨｇ÷３ｍｍＨｇ＝１３秒より、１３秒かけて測定される。よって、脈拍は、この間に１３拍検出される。
【００１９】
図３（Ｂ）に例示するように、生体の１分間あたりの脈拍数を４０拍とすると、１拍は１．５秒を要し、４０ｍｍＨｇの範囲は１３秒かけて測定されるので、脈拍はこの間に約８．６拍しか検出されない。
【００２０】
そこで、本発明にかかる血圧測定装置本体２２は、図３（Ｃ）に例示するように、検出された脈拍数に応じて、カフ圧を下げる速度を決定し、この速度に基づいてカフ圧制御装置２０を介してカフ圧を制御する。好適には、血圧測定装置本体２２は、検出された脈拍数が所定値より小さい場合に、カフ圧を下げる速度を小さくする。より具体的には、血圧測定装置本体２２は、傾きＭでカフ圧を下げる（傾きＭの絶対値＜傾きＬの絶対値）。
【００２１】
例えば、血圧測定装置本体２２は、１分間当たりの脈拍が４０拍であると検出された場合には、脈拍数が所定の脈拍数（６０拍）より小さいので、カフ圧を１秒間に２ｍｍＨｇ下げるように制御する。
このため、カフ圧は、２０秒間に４０ｍｍＨｇ下げられる。１拍は１．５秒であるので、当該４０ｍｍＨｇの範囲において、脈拍は約１３拍検出される。
【００２２】
血圧測定装置本体２２は、動脈血酸素飽和度測定器２４により測定されたＳｐＯ２に基づいて脈拍数を検出する。このため、動脈血酸素飽和度測定器２４は、脈拍数を検出する脈拍数検出手段を構成する。また、血圧測定装置本体２２は、脈波検出装置１６により測定された容積脈波に基づいて脈拍数を検出してもよい。
【００２３】
図４は、血圧測定装置本体２２の表示装置に表示される生体状態の測定結果を例示する図である。
図４に例示するように、血圧測定装置本体２２は、最高血圧（ＳＹＳ）、動脈血酸素飽和度（ＳｐＯ２）及び脈泊数（ＰＲ）を３軸として各数値を三角形で結ぶようにしたトライアングルスコアを、表示装置に表示する。血圧測定装置本体２２は、例えば、生体状態の測定結果として、最高血圧（ＳＹＳ）は１３２ｍｍＨｇ、動脈血酸素飽和度（ＳｐＯ２）は９８％、脈泊数（ＰＲ）は５４ｂｐｍ（回／分）であったと表示する。
【００２４】
また、ＲＰＰ（Rate Pressure Product）は、最高血圧（ＳＹＳ）と脈拍数（ＰＲ）とを掛けた値であり、図４では１０００で割った値が表示されている。
なお、血圧測定装置本体２２は、これらの測定結果を記憶装置に記憶し、必要に応じて、記憶されている測定結果を表示装置に表示してもよい。
【００２５】
図５は、血圧測定装置１０の全体動作（Ｓ１０）を示すフローチャートである。
図５に示すように、ステップ１００（Ｓ１００）において、血圧測定装置本体２２は、動脈血酸素飽和度測定器２４を駆動して、生体の動脈血酸素飽和度（ＳｐＯ２）を測定する。
【００２６】
ステップ１０２（Ｓ１０２）において、血圧測定装置本体２２は、測定された動脈血酸素飽和度（ＳｐＯ２）に基づいて、単位時間当たりの脈拍数を算出する。なお、血圧測定装置本体２２は、カフ圧制御装置２０を制御し、脈波検出装置１６により検出される容積脈波に基づいて、脈拍数を算出してもよい。
【００２７】
ステップ１０４（Ｓ１０４）において、血圧測定装置本体２２は、当該脈拍数に応じて、カフ圧を下げる速度を決定する。例えば、血圧測定装置本体２２は、１分間当たりの脈拍数が６０拍である場合には、カフ圧を１秒間に３ｍｍＨｇ下げるように決定し、１分間当たりの脈拍数が４０拍である場合には、カフ圧を１秒間に２ｍｍＨｇ下げるように決定する。
【００２８】
ステップ１０６（Ｓ１０６）において、血圧測定装置本体２２は、決定された速度の下で、脈波振幅を測定する。より具体的には、血圧測定装置本体２２は、定量排気の下で、決定された速度でカフ圧を下げるようにカフ圧制御装置２０を制御する。このため、カフ１８は、カフ圧制御装置２０により制御されて、生体の上腕部分に対して所定の圧力を加える。カフ圧が下げられる過程において、脈波検出装置１６は、生体の血管に発生する容積脈波を検出して、血圧測定装置本体２２に対して出力する。血圧測定装置本体２２は、入力された容積脈波を記憶装置に記憶し、この容積脈波から脈波振幅を算出する。
【００２９】
ステップ１０８（Ｓ１０８）において、血圧測定装置本体２２は、脈波振幅の最大点を検出し、平均血圧を求める。血圧測定装置本体２２は、この最大点に対応する圧力を平均血圧としてもよい。また、血圧測定装置本体２２は、当該最大点を示す容積脈波を中心に、例えば１０拍分の容積脈波を選択して、これらの容積脈波から平均血圧を求めてもよい。さらに、血圧測定装置１０は、脈波振幅のパターン（例えば立ち上がり時のパターン）を考慮して、平均血圧を求めてもよい。
【００３０】
ステップ１１０（Ｓ１１０）において、血圧測定装置本体２２は、求められた平均血圧時の容積脈波に基づいて、最高血圧を算出する。例えば、血圧測定装置本体２２は、脈波振幅のピーク値に対して所定の割合の値である脈波振幅に対応する圧力を最高血圧とする。また、血圧測定装置本体２２は、求められた平均血圧時の容積脈波に基づいて、最低血圧を算出する。例えば、血圧測定装置本体２２は、脈波振幅のピーク値に対して所定の割合の値である脈波振幅に対応する圧力を最低血圧としてもよいし、脈波振幅が小さくなる過程における容積脈波のパターンに基づいて最低血圧を算出してもよい。
【００３１】
ステップ１１２（Ｓ１１２）において、血圧測定装置本体２２は、測定された生体情報を表示装置に表示する。
このようにして、本発明に係る血圧測定装置１０は、生体の平均血圧等を正確に決定することができる。
【００３２】
以上説明したように、本発明に係る血圧測定装置１０は、脈拍数を検出し、当該脈拍数に応じてカフ圧を下げる速度を決定し、この決定された速度に基づいてカフ圧を制御するので、生体の脈拍数に応じた定量排気を行うことができる。特に、血圧測定装置１０は、検出された脈拍数が所定値より小さい場合に、カフ圧を下げる速度を小さくするので、単位時間当たりの脈拍数が小さい場合においても、容積脈波を適切に検出し、平均血圧を適切に決定することができる。
【産業上の利用可能性】
【００３３】
本発明は、様々な脈拍数の被験者の血圧を測定する場合に用いることができる。
【図面の簡単な説明】
【００３４】
【図１】本発明の実施形態に係る血圧測定装置１０の概略を示す図である。
【図２】カフ圧と脈波振幅との関係を説明する図である。
【図３】カフ圧を下げる速度と検出される脈拍数の関係を説明する図であって、図３（Ａ）は、ある生体に対して所定の傾きＬでカフ圧を下げた場合を例示し、図３（Ｂ）は、より脈拍数が小さい生体に対して傾きＬでカフ圧を下げた場合を例示し、図３（Ｃ）は、より脈拍数が小さい生体に対して傾きＭでカフ圧を下げた場合を例示する。
【図４】血圧測定装置本体２２の表示装置に表示される生体状態の測定結果を例示する図である。
【図５】血圧測定装置１０の全体動作（Ｓ１０）を示すフローチャートである。
【符号の説明】
【００３５】
１０ 血圧測定装置
１６ 脈波検出装置
１８ カフ
２０ カフ圧制御装置
２２ 血圧測定装置本体
２４ 動脈血酸素飽和度測定器
【図１】
2007020750.tif 000003
【図２】
2007020750.tif 000004
【図３】
2007020750.tif 000005
【図４】
2007020750.tif 000006
【図５】
2007020750.tif 000007